(57)【要約】【課題】直交周波数分割多重（ＯＦＤＭ）通信において、並列処理を行うに当たり、伝送効率を劣化させないシンボル同期方法を提供する。【解決手段】本発明によるシンボル同期方法は、第１の装置が、第１のシンボル・レートで変調した周波数軸上で連続する複数のサブキャリ、及び、第１のシンボル・レートより高い第２のシンボル・レートで変調した周波数軸上で連続する複数のサブキャリを含む変調信号を送信するステップと、第２の装置が、前記変調信号をベースバンド信号に変換するステップと、第２の装置が、前記ベースバンド信号に含まれる第１の信号の同期シンボルに基づき、第１の信号及び第２の信号のシンボル同期を確立するステップを備えている。【選択図】図４
2011082656.tif 000002
【特許請求の範囲】
【請求項１】
直交周波数分割多重変調された第１の信号と、直交周波数分割多重変調された第２の信号とを合波した信号により搬送波を変調する直交周波数分割多重通信装置であって、
第１の信号の周波数帯域は、第２の信号の周波数帯域とは異なり、
第１の信号のシンボル期間は、第２の信号のシンボル期間より長く、
第１の信号には、周期的に、同期シンボルが挿入されており、
第１の信号の隣接する同期シンボル間の期間は、第２の信号のシンボル期間の自然数倍である、
直交周波数分割多重通信装置。
【請求項２】
第２の信号の隣接するシンボルを異なる処理回路により生成する、
請求項１に記載の直交周波数分割多重通信装置。
【請求項３】
直交周波数分割多重変調された第１の信号と、直交周波数分割多重変調された第２の信号とを合波した信号により搬送波を変調した信号を受信する直交周波数分割多重通信装置であって、
第１の信号の周波数帯域は、第２の信号の周波数帯域とは異なり、
第１の信号のシンボル期間は、第２の信号のシンボル期間より短く、
第１の信号には、周期的に、同期シンボルが挿入されており、
第１の信号の隣接する同期シンボル間の期間は、第２の信号のシンボル期間の自然数倍であり、
受信信号から前記第１の信号を取り出す手段と、
前記取り出した第１の信号と、前記同期シンボルに対応する時間波形の信号との相関に基づき第１の信号のシンボル境界を判定する手段と、
前記相関に基づき第２の信号のシンボル境界を判定する手段と、
を備えている直交周波数分割多重通信装置。
【請求項４】
第２の信号の隣接するシンボルを異なる処理回路により復調する、
請求項３に記載の直交周波数分割多重通信装置。
【請求項５】
直交周波数分割多重変調を使用した通信システムにおけるシンボル同期方法であって、
第１の装置が、第１のシンボル・レートで変調した周波数軸上で連続する複数のサブキャリア、及び、第１のシンボル・レートより高い第２のシンボル・レートで変調した周波数軸上で連続する複数のサブキャリを含む変調信号を送信するステップと、
第２の装置が、前記変調信号をベースバンド信号に変換するステップと、
第２の装置が、前記ベースバンド信号に含まれる第１の信号の同期シンボルに基づき、第１の信号及び第２の信号のシンボル同期を確立するステップと、
を備えている方法。
【請求項６】
第１のシンボル・レートで変調した複数のサブキャリアの周波数帯域は、第２のシンボル・レートで変調した複数のサブキャリアの周波数帯域より低い、
請求項５に記載の方法。
【発明の詳細な説明】
【技術分野】
【０００１】
本発明は、直交周波数分割多重（ＯＦＤＭ）変調を使用する通信システムにおけるシンボル同期技術に関する。
【背景技術】
【０００２】
ＯＦＤＭ変調は、送信データを複数のサブキャリアを用いて並列に伝送する方式であり、各サブキャリアのシンボル・レートが比較的低くなるためシンボル間干渉に強く、デジタル地上波放送や、無線ＬＡＮ（Ｌｏｃａｌ  Ａｅｒａ  Ｎｅｔｗｏｒｋ）システムで既に使用されており、光通信システムへの適用についても検討されている（例えば、非特許文献１、参照。）。
【０００３】
ＯＦＤＭ通信における受信側の処理は、受信信号をデジタルのベースバンド信号に変換し、シンボル同期を確立し、各シンボルからのサンプリング値を離散フーリエ変換することにより行われる。ここで、実時間通信を維持するためには、シンボル周期毎に離散フーリエ変換処理による周波数信号を出力する必要がある。なお、シンボル同期を確立するとは、ベースバンド信号に含まれる同期シンボル、つまり、送信側で周期的に挿入する既知のデータ・パターンを搬送するシンボルに基づき、ベースバンド信号のシンボル境界を特定することを意味している。
【０００４】
光ＯＦＤＭ通信における伝送容量を高くするためには、広帯域化及びシンボル・レートの高速化が必要である。しかしながら、広帯域化は、ベースバンド信号のサンプリング・レートを非常に高くし、シンボル・レートの高速化は、１シンボルの期間を非常に短くし、広帯域化及びシンボル・レートの高速化に伴い、シンボル同期処理と、１つのＦＦＴ回路によるシンボル周期毎の離散フーリエ変換処理が困難になっている。このため、ＦＦＴ回路を複数設け、並列して処理させる構成が提案されている（例えば、非特許文献２、参照。）。
【０００５】
図５は、非特許文献２に記載の光ＯＦＤＭ通信装置の概略的な構成図である。図５によると、光ＯＦＤＭ通信装置は、光受信部５１と、アナログ・デジタル（Ａ／Ｄ）変換部５２と、分離部５３と、同期・再配置部５４と、離散フーリエ変換（ＦＦＴ）部５５−１から５５−Ｍと、復調部５６−１から５６−Ｍとを備えている。
【０００６】
光受信部５１は、受信する光ＯＦＤＭ信号を、電気信号である、ベースバンド信号に変換する。なお、ベースバンド信号は、同相成分と直交成分の２つの信号からなるが、以下の総ての図においては簡単のため１つの矢印で表現し、また、その処理は同じであるため、以下の総ての説明においては、単に、ベースバンド信号又はＯＦＤＭ信号と、２つの成分をまとめて表現する。Ａ／Ｄ変換部５２は、ベースバンド信号をデジタル変換し、分離部５３は、デジタル・ベースバンド信号を、そのサンプル値単位でＰ個に分離（ディインタリーブ：Ｄｅｉｎｔｅｒｌｅａｖｅ）する。つまり、分離部５３は、Ｐ個の出力ポートを有しており、１つのサンプル値が１６ビットで表現されているのであれば、分離部５３は、それぞれが１６ビットである入力サンプル列を、第１のポートから第Ｐのポートに順に出力することを繰り返す。
【０００７】
同期・再配置部５４は、分離部５３の出力の１つと、既知のデータ・パターンに対応する時間波形との相関を取ることでシンボル同期を確立する。そのため、非特許文献２に記載の構成では、図６に示す様に、送信側において、Ｓ１、Ｓ２、・・・ＳＸのサンプル列で構成される同期シンボルを、分離数分だけ連続して挿入している。なお、図６は、Ｐ＝１６の場合を示している。具体的には、図６（ａ）に示す様に、サンプル値Ｓ１を連続して１６個送信し、続いて、サンプル値Ｓ２を連続して１６個送信し、以下同様にして、最後に、サンプル値ＳＸを連続して１６個送信している。分離部５３は、シンボル境界を意識することなく分離処理を行うため、図６（ａ）の同期シンボルの最初のサンプル値Ｓ１が出力される分離部５３のポートは固定的ではない。図６（ｂ）においては、最初のサンプル値Ｓ１が第３のポートから出力されている。ただし、同じサンプル値を分離部５３における分離数と同じ数だけ連続して送信しているため、各ポートには、同期パターンであるＳ１、Ｓ２、・・・ＳＸが表れる。よって、非特許文献２に記載の光ＯＦＤＭ通信装置は、Ｓ１、Ｓ２、・・・ＳＸのサンプル列と、元のベースバンド信号より低速な分離部５３のいずれかのポートの出力との相関を取ることでシンボル同期を確立している。
【０００８】
同期・再配置部５４は、シンボル同期の確立後、あるシンボル内のサンプル値をＦＦＴ部５５−１に、その次のシンボル内のサンプル値をＦＦＴ部５５−２に、以後、同様にして、あるシンボル内のサンプル値をＦＦＴ部５５−Ｍに出力後、その次のシンボル内のサンプル値をＦＦＴ部５５−１に出力することを繰り返す。各ＦＦＴ部５５−１〜５５−Ｍは、入力サンプル値を離散フーリエ変換して周波数軸上の信号を出力し、復調部５６−１〜５６−Ｍは、対応するＦＦＴ部５５−１〜５５−Ｍが出力した周波数軸上の信号を復調する。この様に、Ｍ個のＦＦＴ部を設けることで、各ＦＦＴ部に必要な処理速度は、１つのＦＦＴ部で処理する場合と比較して１／Ｍになる。
【先行技術文献】
【非特許文献】
【０００９】
【非特許文献１】Ａｒｔｈｕｒ  Ｊａｍｅｓ  Ｌｏｗｅｒｙ、ｅｔ  ａｌ．、“Ｏｒｔｈｏｇｏｎａｌ−ｆｒｅｑｕｅｎｃｙ−ｄｉｖｉｓｉｏｎ  ｍｕｌｔｉｐｌｅｘｉｎｇ  ｆｏｒ  ｄｉｓｐｅｒｓｉｏｎ  ｃｏｍｐｅｎｓａｔｉｏｎ  ｏｆ  ｌｏｎｇ−ｈａｕｌ  ｏｐｔｉｃａｌ  ｓｙｓｔｅｍｓ”、２００６  Ｏｐｔｉｃａｌ  Ｓｏｃｉｅｔｙ  ｏｆ  Ａｍｅｒｉｃａ、ＯＰＴＩＣＳ  ＥＸＰＲＥＳＳ  ２０７９、Ｖｏｌ．１４  Ｎｏ．６、２００６年３月
【非特許文献２】Ｑｉ  Ｙａｎｇ、ｅｔ  ａｌ．、“Ｒｅａｌ−Ｔｉｍｅ  Ｃｏｈｅｒｅｎｔ  Ｏｐｔｉｃａｌ  ＯＦＤＭ  Ｒｅｃｅｉｖｅｒ  ａｔ  ２．５−ＧＳ／ｓ  ｆｏｒ  Ｒｅｃｅｉｖｉｎｇ  ａ  ５４−Ｇｂ／ｓ  Ｍｕｌｔｉ−ｂａｎｄ  Ｓｉｇｎａｌ”、ＯＦＣ  ２００９、ＰＤＰＣ５、２００９年３月
【発明の概要】
【発明が解決しようとする課題】
【００１０】
しかしながら、従来技術による方法は、同期パターンを分離部５３における分離数だけ連続して送信するもの、つまり、実際には利用されない同期パターンも送信するものであり伝送効率が劣化する。
【００１１】
したがって、本発明は、伝送効率を劣化させず、並列処理を可能とするＯＦＤＭ通信装置を提供することを目的とする。
【課題を解決するための手段】
【００１２】
本発明における直交周波数分割多重通信装置によれば、
直交周波数分割多重変調された第１の信号と、直交周波数分割多重変調された第２の信号とを合波した信号により搬送波を変調する直交周波数分割多重通信装置であって、第１の信号の周波数帯域は、第２の信号の周波数帯域とは異なり、第１の信号のシンボル期間は、第２の信号のシンボル期間より長く、第１の信号には、周期的に、同期シンボルが挿入されており、第１の信号の隣接する同期シンボル間の期間は、第２の信号のシンボル期間の自然数倍であることを特徴とする。
【００１３】
本発明の直交周波数分割多重通信装置における他の実施形態によれば、
第２の信号の隣接するシンボルを異なる処理回路により生成することも好ましい。
【００１４】
本発明における直交周波数分割多重通信装置によれば、
直交周波数分割多重変調された第１の信号と、直交周波数分割多重変調された第２の信号とを合波した信号により搬送波を変調した信号を受信する直交周波数分割多重通信装置であって、第１の信号の周波数帯域は、第２の信号の周波数帯域とは異なり、第１の信号のシンボル期間は、第２の信号のシンボル期間より短く、第１の信号には、周期的に、同期シンボルが挿入されており、第１の信号の隣接する同期シンボル間の期間は、第２の信号のシンボル期間の自然数倍であり、受信信号から前記第１の信号を取り出す手段と、前記取り出した第１の信号と、前記同期シンボルに対応する時間波形の信号との相関に基づき第１の信号のシンボル境界を判定する手段と、前記相関に基づき第２の信号のシンボル境界を判定する手段とを備えていることを特徴とする。
【００１５】
本発明の直交周波数分割多重通信装置における他の実施形態によれば、
第２の信号の隣接するシンボルを異なる処理回路により復調することも好ましい。
【００１６】
本発明におけるシンボル同期方法によれば、
直交周波数分割多重変調を使用した通信システムにおけるシンボル同期方法であって、第１の装置が、第１のシンボル・レートで変調した周波数軸上で連続する複数のサブキャリア、及び、第１のシンボル・レートより高い第２のシンボル・レートで変調した周波数軸上で連続する複数のサブキャリを含む変調信号を送信するステップと、第２の装置が、前記変調信号をベースバンド信号に変換するステップと、第２の装置が、前記ベースバンド信号に含まれる第１の信号の同期シンボルに基づき、第１の信号及び第２の信号のシンボル同期を確立するステップとを備えていることを特徴とする。
【００１７】
本発明のシボル同期方法における他の実施形態によれば、
第１のシンボル・レートで変調した複数のサブキャリアの周波数帯域は、第２のシンボル・レートで変調した複数のサブキャリアの周波数帯域より低いことも好ましい。
【発明の効果】
【００１８】
伝送効率を劣化させず、並列処理が可能になる。
【図面の簡単な説明】
【００１９】
【図１】本発明による光ＯＦＤＭ通信装置の送信側の概略的な構成図である。
【図２】本発明による光ＯＦＤＭ通信装置が生成する２つのベースバンド信号の概略的なスペクトラムを示す図である。
【図３】本発明による光ＯＦＤＭ通信装置が生成する２つのＯＦＤＭ信号の時間軸における関係を説明する図である。
【図４】本発明による光ＯＦＤＭ通信装置の受信側の概略的な構成図である。
【図５】従来技術による光ＯＦＤＭ通信装置の概略的な構成図である。
【図６】従来技術によるシンボル同期の確立を説明する図である。
【発明を実施するための形態】
【００２０】
本発明を実施するための形態について、以下では図面を用いて詳細に説明する。図２は、本発明による光ＯＦＤＭ通信装置が生成する２つのベースバンド信号の概略的なスペクトラムを示す図である。本発明においては、図２（ａ）及び（ｂ）に示す様に、周波数帯域の異なるＯＦＤＭ信号２０及びＯＦＤＭ信号２１をそれぞれ生成した後、図２（ｃ）に示す様に、これらを合波する。ここで、ＯＦＤＭ信号２１のシンボル期間は、並行処理が必要ではない程度に長い値、つまり、遅いシンボル・レートに設定する。一方、ＯＦＤＭ信号２０のシンボル期間は、ＯＦＤＭ信号２１のシンボル周期より短く、つまり、速いシンボル・レートに設定する。本発明において、ＯＦＤＭ信号２０には、電子回路の速度限界を超えるために並行処理が必要となる程に広い信号帯域及び高速なンボル・レートを使用することができる。
【００２１】
図３は、ＯＦＤＭ信号２０及び２１を時間軸上で表したものである。図３においては、ＯＦＤＭ信号２１の１シンボルの期間が、ＯＦＤＭ信号２０の１シンボルの期間のＬ倍となっている。また、ＯＦＤＭ信号２１には、周期的に、図３においてはＫシンボル（Ｋは自然数）ごとに、既知のデータ・パターンである同期シンボルを挿入する。なお、ＯＦＤＭ信号２１の隣接する同期シンボル間の期間は、ＯＦＤＭ信号２０のシンボル期間の自然数倍となる様に設定する。なお、図３におけるシンボル期間は、サイクリック・プレフィックスを含むものであり、自然数倍とするためには、サイクリック・プレフィクス長を調整すれば良い。図３においては、ＯＦＤＭ信号２１の隣接する同期シンボル間の期間は、ＯＦＤＭ信号２０のシンボル期間のＬ×Ｋ倍となっている。なお、図３においては、ＯＦＤＭ信号２１の同期シンボルの終了位置と、ＯＦＤＭ信号２０のシンボル境界とが一致しているが所定のオフセットを持つ形態であっても良い。さらに、図３においては、ＯＦＤＭ信号２１のシンボル期間は、ＯＦＤＭ信号２０のシンボル期間の自然数倍（Ｌ倍）であるが、上述した様に、Ｌ×Ｋが自然数となる限り、Ｌは自然数でなくとも良い。
【００２２】
図１は、図２及び図３のＯＦＤＭ信号を生成するための、本発明による光ＯＦＤＭ通信装置の送信側の概略的な構成図である。図１に示す様に、光ＯＦＤＭ通信装置は、離散フーリエ逆変換／サイクリック・プレフィクス（ＩＦＦＴ／ＣＰ）部１−１から１−Ｎ及び５と、加算部２−１から２−Ｎと、多重部３と、デジタル・アナログ（Ｄ／Ａ）変換部４と、補間部６とを備えている。
【００２３】
ＩＦＦＴ／ＣＰ部１−１〜１−Ｎは、それぞれ、ＯＦＤＭ信号２０を生成するために、離散フーリエ逆変換処理及びサイクリック・プレフィックスの挿入処理を行う。なお、ＯＦＤＭ信号２１の帯域に相当するサブキャリアについては、未使用とする。上述した様に、ＯＦＤＭ信号２０のシンボル期間は短く、ＩＦＦＴ／ＣＰ部１−１〜１−Ｎは、連続するシンボルを並行して処理する。具体的には、例えば、ＩＦＦＴ／ＣＰ部１−１に図３の第１フレームの第１シンボルを処理させ、ＩＦＦＴ／ＣＰ部１−２に図３の第１フレームの第２シンボルを処理させ、あるシンボルをＩＦＦＴ／ＣＰ部１−Ｎに処理させた場合、その次のシンボルについては、ＩＦＦＴ／ＣＰ部１−１に処理させるということを繰り返す。
【００２４】
ＩＦＦＴ／ＣＰ部５は、ＯＦＤＭ信号２１を生成するために、離散フーリエ逆変換処理及びサイクリック・プレフィックスの挿入処理を行う。なお、図３に示す様に、ＯＦＤＭ信号２１の同期シンボルと、ＯＦＤＭ信号２０のフレーム境界との時間位置関係を一定にするため、ＩＦＦＴ／ＣＰ部１−１〜１−ＮとＩＦＦＴ／ＣＰ部５には、同じ同期信号が入力される。
【００２５】
ＩＦＦＴ／ＣＰ部５が出力する時間軸上の信号のサンプル・レートと、ＩＦＦＴ／ＣＰ部１−１〜１−Ｎが出力する時間軸上の信号のサンプル・レートは異なるため、そのままではサンプル・レートの不一致により合波することができない。このため、補間部６は、ＩＦＦＴ／ＣＰ部５が出力する信号のサンプル・レートをアップサンプリングして、ＩＦＦＴ／ＣＰ部１−１〜１−Ｎが出力する信号のサンプル・レートに等しくし、加算部２−１〜２−Ｍにおいて、ＯＦＤＭ信号２０及び２１を合波する。その後、多重部３は、並行処理したＯＦＤＭ信号２０の各シンボルに対応する時間信号をシンボル単位で多重し、Ｄ／Ａ変換部４は、多重部３からの信号をアナログ変換して、図２（ｃ）のスペクトラムを持つベースバンド信号を出力する。その後、連続光、つまり搬送波を、Ｄ／Ａ変換部４の出力信号で変調して光ＯＦＤＭ信号を出力する。なお、ＩＦＦＴ／ＣＰ部１−１〜１−ＮとＩＦＦＴ／ＣＰ部５からの信号をデジタル領域で加算するのではなく、ＩＦＦＴ／ＣＰ部１−１〜１−Ｎからの信号を多重してアナログ変換し、ＩＦＦＴ／ＣＰ部５からの信号をアナログ変換し、その後、アナログ領域で加算する構成であっても良い。
【００２６】
図４は、本発明による光ＯＦＤＭ通信装置の受信側の概略的な構成図である。図４に示す様に、光ＯＦＤＭ通信装置は、アナログ・デジタル（Ａ／Ｄ）変換部７及び１３と、分離部８と、再配置部９と、離散フーリエ変換（ＦＦＴ）部１０−１から１０−Ｍ及び１５と、復調部１１−１から１１−Ｍ及び１６と、フィルタ部１２と、同期部１４とを備えている。
【００２７】
図示しない光受信部は、受信した光ＯＦＤＭ信号を図２（ｃ）に示すベースバンド信号に変換して、Ａ／Ｄ変換部７及びフィルタ部１２に出力する。フィルタ部１２は、図２（ｃ）及び図３に示すＯＦＤＭ信号２０を抑圧して、ＯＦＤＭ信号２１を通過させ、Ａ／Ｄ変換部１３は、ＯＦＤＭ信号２１をデジタル変換し、同期部１４は、入力信号と、既知の同期シンボルに対応する時間波形との相関を取ることでシンボル同期を確立、つまり、図３のＯＦＤＭ信号２１の各シンボル境界を認識し、ＯＦＤＭ信号２１の同じシンボルに属するサンプル値を単位としてＦＦＴ部１５に出力する。また、同期部１４は、ＯＦＤＭ信号２１の同期シンボルの検出を示す周期的な信号を再配置部９に出力する。具体的には、既知の同期シンボルに対応する時間波形とＯＦＤＭ信号２１の相関値は、図３に示すＯＦＤＭ信号２１の同期シンボルの終了時刻においてピークとなり、同期部１４は、ＯＦＤＭ信号２０の第１フレームと第２フレームの境界を示す信号を周期的に再配置部９に出力する。なお、図３に示す形態において、同期部１４が出力する信号は、ＯＦＤＭ信号２０のフレーム境界に一致するが、上述した様に、所定のオフセットを持つ形態であっても良い。また、ＯＦＤＭ信号２１の分離は、フィルタ部１２ではなく、ダウンコンバータを利用する形態であっても良い。
【００２８】
Ａ／Ｄ変換部７は、ベースバンド信号をデジタル変換し、分離部８は、デジタル・ベースバンド信号を、そのサンプル値単位でＰ個にディインタリーブする。つまり、１つのサンプル値が１６ビットで表現されているのであれば、分離部８は、１つのサンプル値を示す１６ビットを、そのサンプル順に、第１のポートから第Ｐのポートに順に出力することを繰り返す。
【００２９】
再配置部９は、同期部１４からＯＦＤＭ信号２０の第１フレームと第２フレームの境界を示す信号を周期的に受信し、この信号に基づき、ＯＦＤＭ信号２０のシンボル境界を認識、つまり、シンボル同期を確立する。再配置部９は、シンボル同期の確立後、連続するシンボルの内、同一シンボルの各サンプル値を、ＦＦＴ部１０−１からＦＦＴ部１０−Ｍに順に出力することを繰り返す。各ＦＦＴ部１０−１〜１０−Ｍ及び１５は、入力サンプル値を離散フーリエ変換して周波数軸上の信号を出力し、復調部１１−１〜１１−Ｍ及び１６は、対応するＦＦＴ部が出力した周波数軸上の信号を復調する。
【００３０】
以上、利用帯域の内の連続する一部のサブキャリについては、並行処理が必要ではない程度に長いシンボル期間、つまり、低いシンボル・レートとし、この低いシンボル・レートのＯＦＤＭ信号に含まれる同期シンボルに基づき、高いシンボル・レートのＯＦＤＭ信号のシンボル同期も確立する。従来技術においては、分離数と同じ数だけ連続し、全帯域を利用する同期シンボルを挿入するため、この期間における実データの送信は不可能であり、伝送効率を劣化させていた。しかしながら、本発明においては、伝送帯域の大部分を占め、高速なシンボル・レートで変調するＯＦＤＭ信号２１には同期シンボルを挿入する必要がなく、伝送効率を改善することができる。なお、ＯＦＤＭ信号２１の周波数位置については、図２に示すＯＦＤＭ信号２０の低域側でなくとも良いが、シンボル・レートが高速である光ＯＦＤＭ信号において、周波数が０付近のサブキャリアは通常使用されないため、低域側の未使用領域を、シンボル・レートの低いＯＦＤＭ信号２１のために利用することが望ましい。
【００３１】
なお、図３に示すＯＦＤＭ信号２０に対しても、伝送路特性を推定するための既知データ・パターンのシンボルを周期的に挿入することが好ましい。ＯＦＤＭ信号２０に挿入する伝送路特性推定用シンボルにより求めた伝送路特性は、復調部１１−１〜１１−Ｍで共用することが可能である。しかしながら、ＯＦＤＭ信号２０に挿入する伝送路特性推定用シンボルは、シンボル同期確立のために従来挿入していた同期シンボルよりもその量を減少させることができ、伝送効率は改善される。
【００３２】
なお、光通信を用いて説明したが、本発明は、電子回路の速度限界を超えるために並行処理が必要となる程広い信号帯域を使用する無線通信に対しても適用することができる。
【符号の説明】
【００３３】
１−１〜１−Ｎ、５  ＩＦＦＴ／ＣＰ部
２−１〜２−Ｎ  加算部
３  多重部
４  Ｄ／Ａ変換部
６  補間部
７、１３  Ａ／Ｄ変換部
８  分離部
９  再配置部
１０−１〜１０−Ｍ、１５  ＦＦＴ部
１１−１〜１１−Ｍ、１６  復調部
１２  フィルタ部
１４  同期部
５１  光受信部
５２  Ａ／Ｄ変換部
５３  分離部
５４  同期・再配置部
５５−１〜５５−Ｍ  ＦＦＴ部
５６−１〜５６−Ｍ  復調部
【図１】
2011082656.tif 000003
【図２】
2011082656.tif 000004
【図３】
2011082656.tif 000005
【図４】
2011082656.tif 000006
【図５】
2011082656.tif 000007
【図６】
2011082656.tif 000008